(57)【要約】【課題】使用時の装着ズレを軽減したシリコーン等の軟質樹脂製の乳房パッド、及び使用感に優れた乳がん触診用のモデル乳房としての乳房パッドを提供する。【解決手段】ブラジャーのカップ内に収納されて用いられる軟質樹脂製の乳房パッド１、及び乳がん触診用モデルとして用いられる軟質樹脂製の乳房パッド１は、表面が乳房の形状を模した凸曲面を有するパッド本体２、及びパッド本体２の周縁下端から外側に延在する薄いフランジ部３を有する。【選択図】図１
2019023369.tif 000002
【特許請求の範囲】
【請求項１】
ブラジャーのカップ内に収納されて用いられる軟質樹脂製の乳房パッドにおいて、表面が乳房の形状を模した凸曲面を有するパッド本体、及び該パッド本体の周縁の下部から側部にわたって外側に延在する薄いフランジ部を有することを特徴とする乳房パッド。
【請求項２】
前記フランジ部は、前記パッド本体の周縁の両側部にわたって延在していることを特徴とする請求項１に記載の乳房パッド。
【請求項３】
前記パッド本体は、中空の袋状体とされていることを特徴とする請求項１又は２に記載の乳房パッド。
【請求項４】
前記パッド本体は、底面に凹部が形成され、該凹部に空気注入用の注入針が挿通される針挿通弁が形成されていることを特徴とする請求項３に記載の乳房パッド。
【請求項５】
乳がん触診用モデルとして用いられる軟質樹脂製の乳房パッドであって、内部に乳がん組織の弾力性を模したモデル患部が埋設され且つ表面が乳房の形状を模した凸曲面を有するパッド本体、及び該パッド本体の周縁下端から外側に延在する薄いフランジ部を有することを特徴とする乳房パッド。
【発明の詳細な説明】
【技術分野】
【０００１】
本発明は、ブラジャーによって胸部との間に挟持（保持）されて用いられる軟質樹脂製の乳房パッドに関する。
【背景技術】
【０００２】
乳がん等の治療として切除された乳房を補うために、また胸部の膨らみを補うために、ブラジャーのカップ内に収納して用いられる乳房パッドが広く使用されてきている。
【０００３】
この種の乳房パッドは、胸部とブラジャーとの間に保持されて使用されるもので、胸部又はブラジャーに対して固定されているものではなく、それ故、ブラジャー内で動き装着位置がずれてしまうことがあり、装着感が必ずしも良いとは言えないものであった。
【０００４】
そこで、従来より、装着時の違和感を軽減することができる乳房パッドが提案されている。例えば、特許文献１には、乳房パッドを布製とし、パッド本体の周縁下部から下方に突出する羽を設けることで、パッド本体がずれてしまうことを軽減するようにしたものが開示されている。
【先行技術文献】
【特許文献】
【０００５】
【特許文献１】特開２０１６−７９５４５号公報
【発明の概要】
【発明が解決しようとする課題】
【０００６】
しかし、特許文献１に開示されたような布製の乳房パッドは、実際の乳房の質感や重量感に乏しい。これに対して、シリコーン（ゴム）等の軟質樹脂製の乳房パッドは、布製の乳房パッドに比して質感や重量感に優れている。また、乳房パッドのパッド本体の周縁下部から下方に突出する羽を設けてパッド本体のずれを解消しようとした場合、軟質樹脂製の乳房パッドでは、布製のものに対して比較的重いために、乳房パッドのずれの解消は不十分であるといえる。
【０００７】
また、この乳房パッドのずれは、装着者の動きによって生じやすく、上下左右方向のずれだけではなく、ブラジャーのカップ内で回転することによりずれる場合もある。例えば、実際の乳房の形状に近づけるために平面視変形円状とされる軟質樹脂製の乳房パッドの場合は、ブラジャーのカップ内で乳房パッドが回転することにより、正しい姿勢での装着外観形状から変形してしまうおそれがある。
【０００８】
一方、乳がん触診用のモデル乳房として、内部に乳がん組織の弾力性を模したモデル患部が埋設され、且つ、表面は乳房の形状を模した凸曲面を有する軟質樹脂製の乳房パッドが知られている。この乳房パッドは、触診時に乳房パッド全体が動くために使用感に欠けるものであった。
【０００９】
本発明は、上述の問題点に鑑みなされたものであり、使用時の装着ズレを軽減したシリコーン（ゴム）等の軟質樹脂製の乳房パッドを提供することを目的とする。また、本発明のもう一つの目的は、使用感に優れた乳がん触診用のモデル乳房としての乳房パッドを提供することにある。
【課題を解決するための手段】
【００１０】
本発明者は、上記目的を達成すべく鋭意研究を重ねたところ、軟質樹脂製の乳房パッドにおいて、パッド本体の周縁側部にもフランジ（羽）を設けたときには、上下方向だけではなく左右方向のずれ、また回転するずれも効果的に軽減できることを見出した。
【００１１】
すなわち、本発明の一態様に係る乳房パッドは、ブラジャーのカップ内に収納されて用いられる軟質樹脂製の乳房パッドにおいて、表面が乳房の形状を模した凸曲面を有するパッド本体、及び該パッド本体の周縁の下部から側部にわたって外側に延在する薄いフランジ部を有することを特徴とするものである。
【００１２】
なお、上記乳房パッドにおいて、軟質樹脂としては公知のものを広く使用でき、人工乳房の材料として一般的に使用されている公知の軟質樹脂を用いることが好ましい。また、この乳房パッドは、胸部に接触させて使用されることから、例えばシリコーン（ゴム）等の医療用の軟質樹脂を用いることが特に好ましい。
【００１３】
また、上記乳房パッドにおけるフランジ部の延在長さ（突出幅）は、装着用ブラジャーのカップ周縁（下部及び側部）によって押圧できる程度以上で、長すぎることで装着違和感が必要以上に生じない程度とすることが好ましい。このフランジ部の延在長さは、パッド本体のサイズにもよるが、例えば１０〜２０ｍｍ程度とすればよい。また、ブラジャーのカップサイズとパッド本体のサイズに差がある場合、ずなわち、パッド本体のサイズが小さい場合であっても、ブラジャーのカップ内でパッド本体を左右方向にズレさせた場合に側部のフランジ部がカップ内に入り込まない程度以上の突出幅としておけばよい。
【００１４】
また、上記乳房パッドにおけるフランジ部の厚さは、使用に耐え得る程度の強度が保証される範囲で薄いほうがよい。一方、装着したときにブラジャーのカップ周縁で押圧できる程度の厚さがあればよい。このフランジ部の厚さは、例えば、シリコーンゴム製とした場合、０．２〜１．５ｍｍ程度とすればよい。さらに、このフランジ部の厚さは、均一でも不均一でもよい。例えば、先端ほど薄くなるようにテーパーを付すことでフィット感を高めてもよい。また、基端を薄く先端を厚くして基端部に窪みを設けるようにし、ブラジャーのカップ周縁が窪みに納まるようにして乳房パッドのずれをより軽減できる形状にしてもよい。
【００１５】
なお、上記乳房パッドにおけるパッド本体のサイズは、使用するブラジャーのカップサイズに応じたものとすることが好ましい。換言すれば、パッド本体のサイズに合ったサイズのブラジャーを使用することがよいということである。また、上記乳房パッドにおいてフランジ部をパッド本体の周縁の上部に設けてもよく、パッド本体の周縁全周に設けてもよい。
【００１６】
上記乳房パッドによれば、装着時（使用時）にブラジャーのカップ周縁部でパッド本体の下部に加え側部のフランジ部を胸部に対して押さえられることになる。これにより、装着時に歩いたり走ったりすることによる上下方向の揺れ、及び、腕部を動かしたときや体を捻ったときの左右方向の揺れ等に対して、ブラジャーのカップ内での乳房パッドの上下左右方向のずれ及び回転によるずれを効果的に軽減することができる。
【００１７】
また、上記乳房パッドにおいて、フランジ部は、パッド本体の腕部側（脇部側）の側部に設けられていることが好ましい。また、上記乳房パッドにおいて、フランジ部は、パッド本体の周縁の両側部にわたって延在して設けられていることがより好ましい。これにより、パッド本体を動きが大きい腕部近傍で押圧矯正することで、より効果的に動きを吸収、減衰できる。
【００１８】
また、上記乳房パッドにおいて、パッド本体は、中空の袋状体とされていてもよい。これにより、乳房パッドの軽量化を図ることができ、装着位置のずれをより軽減することができる。
【００１９】
さらに、上記乳房パッドにおいて、パッド本体は、底面に凹部が形成され、該凹部に空気注入用の注入針が挿通される針挿通弁が形成されていることとしてもよい。
【００２０】
ここで、上記乳房パッドにおける針挿通弁としては、例えば、テニスボール、バレーボール等に空気を注入するために設けられている「ヘソ」、「ムシ」と呼ばれているものと同様のゴム材質の針挿通弁や、医療用、産業用の材質による針挿通弁等を広く使用することができる。なお、針挿通弁は、底面を形成する軟質樹脂と同一部材であっても別部材であってもよく、凹部と一体的に形成することがより好ましい。
【００２１】
このような乳房パッドによれば、針挿通弁が底面の凹部に形成されていることから、装着時に針挿通弁が胸部の皮膚に接触することを防止できる。さらに、針挿通弁により、汎用の小型のポンプを用いて空気圧調整することで上記乳房パッドのパッドサイズの調整を行うことができる。また、底面に凹部が設けられているので、当該凹部によって底面の伸縮性を向上でき、パッド本体の空気圧が変わることによりフランジ部が引っ張られたり緩んだりして変位することを防止でき、ブラジャーによる押圧感を一定に保ち易くできる。
【００２２】
また、本発明の他の一態様に係る乳房パッドは、乳がん触診用モデルとして用いられる軟質樹脂製の乳房パッドであって、内部に乳がん組織の弾力性を模したモデル患部が埋設され且つ表面が乳房の形状を模した凸曲面を有するパッド本体、及び該パッド本体の周縁下端から外側に延在する薄いフランジ部を有することを特徴とするものである。
【００２３】
上記乳房パッドにおけるフランジ部はパッド本体の周縁下端の一周縁乃至全周縁から延出するように形成されていればよく、全周縁から延出させておくことがより好ましい。また、フランジ部の延出長さは、安定性がよくなることから長い方が好ましく、例えば１０〜４０ｍｍ程度とすればよい。
【００２４】
この乳房パッドによれば、フランジ部を有することにより、より実際の胸部に近い使用感を演出することができる。
【発明の効果】
【００２５】
本発明によれば、使用時の装着ズレを軽減した、シリコーン（ゴム）等の軟質樹脂製の乳房パッドを提供することができる。また、本発明によれば、安定性に優れ実用性に富んだ乳がん触診用モデルとしての乳房パッドを提供することができる。
【図面の簡単な説明】
【００２６】
【図１】本発明の実施形態に係る乳房パッドの一例を示す概略正面図である。
【図２】図１のＩ−Ｉ概略断面図である。
【図３】本発明の実施形態に係る乳房パッドの他の例を示す概略正面図である。
【図４】図３のＩＩ−ＩＩ概略断面図である。
【図５】本発明の実施形態に係る乳房パッドのサンプルの正面写真である。
【図６】本発明の実施形態に係る乳房パッドのサンプルの背面写真である。
【図７】本発明の実施形態に係る乳房パッドのサンプルの右側面写真である。
【図８】本発明の実施形態に係る乳房パッドのサンプルの底面写真である。
【図９】本発明の実施形態に係る乳房パッドのサンプルの左側面写真である。
【図１０】本発明の実施形態に係る乳房パッドのサンプルの平面写真である。
【発明を実施するための形態】
【００２７】
以下、本発明の実施態様について、図面を参照しつつ説明する。
【００２８】
図１は、本発明の実施形態に係る乳房パッドの一例を示す概略正面図である。乳房パッド１は、表面２ａ側が乳房を模した椀形状（凸曲面形状）のパッド本体２と、パッド本体２の周縁下端から鍔状に延在するフランジ部３と、を有する。乳房パッド１は、シリコーン（ゴム）からなる。
【００２９】
パッド本体２は、表面２ａ側が平面視乳房に模した変形した円形（楕円形）をしており、図２に概略断面図を示すように、底面２ｂ側は凹部が形成されている。パッド本体２のサイズは、使用するブラジャーのカップサイズに応じて決定される。
【００３０】
フランジ部３は、パッド本体２の下部２ａ１から側部（装着時脇側）２ａ２にわたって周縁下端から外方へ延在する薄いシート状に形成される。フランジ部３の厚さは、特に限定されず、この例では、０．５〜１ｍｍ程度とし、先端ほど薄くしたテーパー状としている。
【００３１】
この乳房パッド１は、例えば、液状シリコーンを石膏型に重ね塗りしたり、液状シリコーンを石膏型に流し込んだりして、硬化させることにより一体的に形成することができる。
【００３２】
なお、パッド本体２の表面２ａに、乳頭に模した形状の凸部を形成してもよく、そうすることで実際の胸部形状により近いものとすることができる。また、乳房パッド１を任意の色に着色してもよい。
【００３３】
次に、本発明の実施形態に係る乳房パッドの他の例について説明する。図３及び図４に概略正面図及びその概略断面図を示すように、乳房パッド１０は、表面側が乳房を模した椀形状（凸曲面形状）とされたパッド本体２０と、パッド本体２０の周縁下端から鍔状に延在するフランジ部３０と、を有する。乳房パッド１０は、シリコーン（ゴム）からなる。
【００３４】
パッド本体２０は、表面側が平面視乳房に模した変形した円形（楕円形）の外皮部２０ａと、裏面側の底皮部２０ｂの中央部とから構成され、外皮部２０ａと底皮部２０ｂとの間に内部空間５０が形成され、全体として中空の袋状体となっている。
【００３５】
底皮部２０ｂの中央付近には、外皮部２０ａ側に窪むように凹部２０ｃが形成されている。凹部２０ｃと外皮部２０ａとの間には、内部空間５０内において、空間が形成されている。凹部２０ｃの中央部には内部空間５０に空気の出し入れを行うことで内部空間５０の空気圧を調整できるよう、針挿通弁４０が形成されている。針挿通弁４０としては、肉厚の瘤状部とするなど底皮部２０ｂと同材料で形成してもよいし、テニスボール、バレーボール等で用いられている汎用の針挿通弁等他の材料で形成してもよい。
【００３６】
底皮部２０ｂの中央部に設けた凹部２０ｃは、凹部２０ｃに設けた針挿通弁４０が装着時に使用者の胸部の皮膚に接触させない深さ及び幅に形成することが好ましい。このようにすることにより、通気性の点でも好ましい。
【００３７】
パッド本体２０の内部空間５０への空気の出し入れは、針挿通弁４０に空気注入用の注入針７０を挿通させて行うことができる。空気を入れるときは、例えば、軟式テニスボール等に空気を入れる市販のエアスポイト６０やバレーボール等に空気を入れる筒状のポンプ等手動式のポンプ等を用いて簡易に行うことができる。また、パッド本体２０のサイズは、使用するブラジャーのカップサイズに応じて決定される。
【００３８】
フランジ部３０は、パッド本体２０の下部２０ａ１から両側部２０ａ２、２０ａ３にわたって周縁下端から外方へ延在する薄いシート状に形成される。フランジ部３０は、底皮部２０ｂの周縁部でもあり、底皮部２０ｂの周縁部に表皮部２０ａを表面側から貼り合わせることで形成される。フランジ部の厚さは、特に限定されず、この例では、０．５〜１ｍｍ程度としている。
【００３９】
なお、表皮部２０ａ及び底皮部２０ｂの厚さは、強度や重さを勘案のうえ適宜決定すればよく、ここでは２〜３ｍｍ程度としている。
【００４０】
この乳房パッド１０は、例えば、液状シリコーンを石膏型に重ね塗りして表皮部２０ａと底皮部２０ｂとを形成し、これらを適当な接着剤を用いて貼り合わせることで作製すればよい。なお、表皮部２０ａの周縁部には、内側に折り返された折返し部２０ａ４が形成されており、貼り合わせるときの糊代として用いられている。
【００４１】
さらに、本発明の実施形態に係る乳房パッドの別の例の６面図（写真）を図５〜図１０に示す。
【００４２】
また、本発明の実施形態に係る乳がん触診用モデルとしての乳房パッドは、上述の乳房パッド１、１０において、パッド本体２、２０の内部空間をシリコーン樹脂で埋めたり、ジェルを充填したりしておくことが好ましい。また、フランジ部３、３０がパッド本体２、２０の周縁全周にわたって形成されるようにしておくことが好ましい。
【００４３】
以上、本発明に係る乳房パッドについて具体例を用いて説明したが、本発明は上記具体例に限定されるものではない。本発明の各部の構成等は、本発明の趣旨に沿って適宜変更可能である。
【産業上の利用可能性】
【００４４】
本発明は、ブラジャーを用いて装着する乳房パッドは勿論、乳がん触診用の乳房モデルとしても有益なものである。
【符号の説明】
【００４５】
１、１０  乳房パッド
２、２０  パッド本体
３、３０  フランジ部
２０ａ    外皮部
２０ｂ    底皮部
２０ｃ    凹部
４０      針挿通弁
５０      内部空間
【図１】
2019023369.tif 000003
【図２】
2019023369.tif 000004
【図３】
2019023369.tif 000005
【図４】
2019023369.tif 000006
【図５】
2019023369.tif 000007
【図６】
2019023369.tif 000008
【図７】
2019023369.tif 000009
【図８】
2019023369.tif 000010
【図９】
2019023369.tif 000011
【図１０】
2019023369.tif 000012